(57)【要約】【課題】変形性膝関節症の予防または軽減に資するインソールの提供。【解決手段】硬度が３０〜５５度（Ｅタイプ硬度計）のポリウレタン及び／または酢酸ビニル共重合体でインソ−ルを成形し、踵部の厚さ方向に設けた有底盲孔の深度を中心に行くに従って深くするか、有底盲孔の直径を中心に行くに従って大きくして重心を中心へ誘導して、有底盲孔の深度を内側に行くに従って深くするか、又は有底盲孔の直径を内側に行くに従って大きくすることにより、重心を内側に誘導する。【選択図】なし【特許請求の範囲】
【請求項１】
インソール本体（１）と踵部（２）を有するインソールにおいて、踵部（２）の内部構造を、踵部の中心または踵部の内側へ重心を移動させるような構造としたことを特徴とするインソール。
【請求項２】
前記踵部（２）の厚さ方向に複数の有底盲孔（３）を設けことを特徴とする請求項１に記載したインソール。
【請求項３】
前記有底盲孔（３）の深度を踵部の中心（４）へ行くにしたがって深くしたことを特徴とする請求項１又は２に記載したインソール。
【請求項４】
前記有底盲孔（３）の直径（Ａ）を踵部（２）の中心（４）へ行くにしたがって大きくしたことを特徴とする請求項１又は２に記載したインソール。
【請求項５】
前記有底盲孔（３）の深度を踵部（３）の内側（ＩＮ）へ行くにしたがって深くしたことを特徴とする請求項１又は２に記載したインソール。
【請求項６】
前記有底盲孔（３）の直径（Ａ）を踵部（３）の内側（ＩＮ）へ行くにしたがって大きくしたことを特徴とする請求項１又は２に記載したインソール。
【請求項７】
前記踵部（３）の硬度を３０〜５５度（Ｅタイプ硬度計）としたことを特徴とする請求項１〜６のいずれか１項に記載したインソール。
【請求項８】
前記硬度の材料をポリウレタン及び／またはエチレン−酢酸ビニル共重合体としたことを特徴とする請求項１〜７のいずれか１項に記載したインソール。
【発明の詳細な説明】
【技術分野】
【０００１】  本発明はインソールに関する。より詳細に述べれば、本発明は、変形性膝関節症の予防または軽減を目的としてインソールに関する。
【背景技術】
【０００２】  変形性膝関節症に関しては、各種医学専門書、たとえば、株式会社南山堂発行「医学大辞典」、株式会社朝倉書店発行「骨の事典」、医歯薬出版株式会社発行「最新医学大辞典」、日経ＢＰ社発行「メルクマニュアル医学百科」等が医学的に定義しているが、本発明で使用する用語「変形性膝関節症」は、前記各種医学専門書に記載されている医学的定義より広義に解釈し、その原因が原発生か真性か、または先天性または後天性の関節の異常形態、外傷、疾患、新陳代謝異常などの明白な原因を素地として発生したものか否か、あるいは年齢、性別、職業等に関係なく、階段の上り下りに際して膝関節に痛みが発生する症状、平地歩行する際に膝関節に痛みが発生する症状、長時間歩行する際に膝関節に痛みが発生する症状、椅子などに長時間腰をかけていたあと急に立ち上がろうとした際に膝関節がこわばり、足をゆっくりと上下して慣らせば歩行可能になり、２〜３分間歩行し続ければ容易に歩行できるようになる症状等歩行に際して膝関節に何らかの痛みが発生する総ての場合を包含する。【０００３】  また、本発明で使用する「変形性膝関節症の予防」は、上述した、いわゆる「変形性膝関節症」の発生を未然に完全に防ぐ、という限定した意味ではなく、「変形性膝関節症」が発生するリスクを軽減するという意味である。さらに、本発明で使用する「変形性膝関節症の軽減」は、変形性膝関節症に起因する痛みを一時的又は永続的に自・他覚的症状を軽減するのに資する状態を言う。【０００４】  変形性膝関節症の約９０％は、下肢アラインメントが、外方開角で大きくなり、このため、大腿骨内側顆が接触せず、前方から見ると両下肢がＯ字状、いわゆる「Ｏ−脚」になる。この病状が進行してくると、内側の関節縁から骨棘が突出する。このような状態になると、杖をついて膝への荷重を軽減したり、あるいは硬めのサポーターで膝の動揺を防止するか、もしくは荷重線を膝の内側から中心方向に移動させる方法、即ち、着地時の重心が外側に流れるのを防止することにより骨格を真っ直ぐに矯正しようとする技術が採用されている。この従来技術の一つとして、靴底の外側を厚くし、内側に向けて徐々に薄く一体に成形した構造になっている、いわゆる矯正靴がある。この種の特殊な矯正靴の場合、靴底の外側の最大厚さが、内側の厚さの数倍の構造になっている場合がある。このような構造の場合、足の外側が内側へ向かって極端に傾斜しているので、両足の外側アーチ全体が捻じれ、いわゆる浮き上がった状態になり、歩行バランスが崩れるという欠陥がある。
尚、本発明において、靴の外側とは、左足の場合は進行方向に向かって左側を、右足の場合は、同じく右側を言う。したがって、添付した図面では、左足と右足は鏡像関係にある。【０００５】  特許文献１〜４は、実質的に上述した従来技術の技術思想を応用したもので、同じ欠点を有する。【０００６】  特許文献５は、第４図〜第８図に記載されているように、靴の踵部を、いわゆるしたがって、「ぽっくり」形状に成形したものである。特許文献５の第３頁下右欄第６〜８行に「第４図ないし第８図に見られるように、断面は靴として奇妙な形状になっていて、商品として見苦しい形状である。」と出願人（発明者）自ら記載している通り、靴としての商品価値が低いだけでなく、その構造上非常に不安定で、細心の注意を払って歩行しないと、躓いたり、横転するなどの危険性を内蔵している。【０００７】
【先行技術文献】
【特許文献】
【０００８】
【特許文献１】実用新案登録番号第３０２３５４０号公報
【特許文献２】実用新案登録番号第３０３１７３９号公報
【特許文献３】特開２００８−６２００５号公報
【特許文献４】特表２０１２−５１８４６１号公報
【特許文献５】特開昭６４−７６８５０号公報
【発明の概要】
【発明が解決しようとする課題】
【０００９】  本発明者は、上述した従来技術の欠点を検討し、さらに、いわゆる変形性膝関節症で悩んでいる人達の意見、予防等を聴取し、参考にした結果、いわゆる変形性膝関節症の予防または軽減を目的とするインソールは、第１義的には、（イ）いわゆる矯正靴のように、歩行の際、足に過剰な負荷をかけることがないこと。（ロ）日常履きとして、長時間使用していても安定した歩行ができること。（ハ）不安定な歩行につながるので、外側アーチ部分を、内側アーチ部分に比べて盛り高構造しないこと。（ニ）やはり、不安定な歩行につながるので、踵を、いわゆる「ポックリ」構造のような異形構造にしないこと。（ホ）インソールの踵部の内部構造を工夫して着地時の重心の位置をコントロールすることであり、また、第２義的には、（１）意匠的にも、靴としての商品価値を低下させないこと。（２）いたずらにコストを上げないこと、等が要求されていることを理解した。【００１０】  従って、発明が解決しようとする第１の課題は、いわゆる矯正靴のように、歩行の際、足に過剰な負荷をかけることがないインソールを提供することである。【００１１】  発明が解決しようとする第２の課題は、日常履きとして、長時間使用していても安定した歩行ができるインソールを提供することである。【００１２】  発明が解決しようとする第３の課題は、不安定な歩行につながるので、外側アーチ部分を、内側アーチ部分に比べて盛り高構造しないインソールを提供することである。【００１３】  発明が解決しようとする第４の課題は、不安定な歩行につながるので、踵を、いわゆる「ポックリ」構造のような異形構造にしないインソールを提供することである。【００１４】  発明が解決しようとする第５の課題は、インソールまたは靴底の踵部の内部構造を工夫して着地時の重心の位置をコントロールすることができるインソールを提供することである。【００１５】  発明が解決しようとする第６の課題は、意匠的にも、靴としての商品価値を低下させず、かついたずらにコストを上げないインソールを提供することである。
【課題を解決する手段】
【００１６】  上記課題は、以下の各項に述べる手段により解決される。
【００１７】  １．インソール本体と踵部を有するインソールにおいて、踵部の内部構造を、踵部の中心または踵部の内側へ重心を移動させるような構造としたことを特徴とするインソールの提供。
【００１８】  ２．前記１項において、踵部の厚さ方向に複数の有底盲孔を設ける。
【００１９】  ３．前記１または２項において、前記有底盲孔の深度を踵部の中心へ行くにしたがって深くする。
【００２０】  ４．前記１または２項において、前記有底盲孔の直径を踵部の中心へ行くにしたがって大きくする。
【００２１】  ５．前記１または２項において、前記有底盲孔の深度を踵部の内側へ行くにしたがって深くする。
【００２２】  ６．前記１または２項において、前記有底盲孔の直径を踵部の内側へ行くにしたがって大きくする。
【００２３】  ７．前記１〜６項のいずれか１項において、前記インソールの材料の硬度を３０〜５５度（Ｅタイプ硬度計）とする。
【００２４】  ８．前記１〜７項のいずれか１項において、前記硬度の材料をポリウレタン及び／またはエチレン−酢酸ビニル共重合体とする。
【発明の効果】
【００２５】  請求項１に記載した発明により、インソールにおいて、踵部中心又は踵部の内側へ重心を移動させることにより、荷重線を膝の内側から中心方向に移動させ、着地時の重心が外側に流れるのを防止することにより骨格を真っ直ぐに直す、または維持することができる。
【００２６】  請求項２に記載した発明により、インソールの踵部の厚さ方向に複数の有底盲孔を設けることにより、踵部の中心部へ重心を誘導するか、または踵部内側への重心を誘導することができる。
【００２７】  請求項３に記載した発明により、インソールの有底盲孔の深度を踵部の中心へ行くにしたがって深くすることにより、踵部の中心部をより歪み易くし、踵着地時の重心を中心部へ誘導することができる。
【００２８】  請求項４に記載した発明により、インソールの前記有底盲孔の直径を踵部の中心へ行くにしたがって大きくすることにより、踵部の中心部をより歪み易くし、踵着地時の重心を中心部へ誘導することができる。
【００２９】  請求項５に記載した発明により、インソールの前記有底盲孔の深度を踵部の内側へ行くにしたがって深くすることにより、踵部の中心部をより歪み易くし、踵着地時の重心を内側へ誘導することができる。
【００３０】  請求項６に記載した発明により、インソールの前記有底盲孔の直径を踵部の内側へ行くにしたがって深くすることにより、踵部の中心部をより歪み易くし、踵着地時の重心を内側へ誘導することができる。
【００３１】  請求項７に記載した発明により、インソールの材料の硬度を３０〜５５度（Ｅタイプ硬度計）に設定することにより、広範な材料から靴またはインソールの材料を選択することができる。
【００３２】  請求項８に記載した発明により、インソールの材料をポリウレタン及び／またはエチレン−酢酸ビニル共重合体とすることにより、クッション性がよく、ヘタリの少ない効果を得る。
【図面の簡単な説明】
【００３３】
【図１】本発明のインソールの設計上の基本概念を示す図である。［１］本発明の製造上の基本概念を示す底面図  ［２］［１］のＸ−Ｙに沿った断面図
【図２】本発明の製造上の基本概念を示す底面図。
【図３】本発明の製造上の別の基本概念を示す底面図。
【図４】本発明による踵部の構造の概念設計を示す底面図。
【図５】本発明による踵部の構造の別の概念設計を示す底面図。
【図６】本発明による踵部の構造のさらに別の概念設計を示す底面図。
【図７】本発明による踵部の構造のさらに別の概念設計を示す底面図。
【図８】本発明のインソール本体と踵部の形状を示す概念図。［１］本発明のインソール本体と踵部の形状を示す底面図。［２］［１］Ｘ−Ｙ面に沿った断面図。
【図９】本発明の実施例１による底面図。
【図１０】本発明の実施例２による底面図。
【図１１】本発明の実施例３による底面図。
【図１２】本発明の実施例４による底面図。
【発明を実施するための最良の形態】
【００３４】  以下、図面を参照して実施例を述べる。図１は、本発明の製造上の基本概念を示す図で、［１］は、本発明の製造上の基本概念を示す底面図、［２］は、［１］のＸ−Ｙ面に沿った断面図である。
図１において１はインソール、２は踵部、３は踵部の厚さ方向に形成された有底盲孔である。本発明のインソール１は、いわゆる「膝にやさしい」ということをコンセプトとする。そのために、インソール１の材料は、クッション性能がよく、硬度が３０〜５５度（Ｅタイプ硬度計）のゴム又は熱可塑性合成樹脂から任意に選択される。具体的には、ポリウレタン、エチレン−酢酸ビニル共重合体、その他硬度が３０〜５５度（Ｅタイプ硬度計）の熱可塑性合成樹脂かが好ましい。これらの材料は一種単独又は２種以上の混合材料として使用することもできる。本発明の靴底又はインソール１は、ポリウレタン、エチレン−酢酸ビニル共重合体、その他硬度が３０〜５５度（Ｅタイプ硬度計）の熱可塑性合成樹脂等から任意に選択された材料で形成されること、及び踵部２を適度の厚さで成形し、かつ踵部２の厚さ方向に有底盲孔３を形成することによる相乗効果により、着地時に踵部２が歪み、衝撃を緩和する効果を奏功する。【００３５】  図２は、本発明の製造上の一つの基本概念を示す底面図である。この基本概念によれば、踵部の内部構造を特殊な構造にすることにより、図２において矢印（→）で示したように、歩行時に踵に負荷される衝撃を踵部の中心４へ導くことにより、着地時の重心が外側に流れるのを防止する。なお、図２は左足であるが、右足は左足と鏡像対象関係にある。【００３６】  図３は、本発明の製造上の別の基本概念を示す底面図である。この基本概念によれば、踵部の内部構造を特殊な構造にすることにより、図３において踵のＡ、Ｂ及びＣの部分を内側に向けて歪み易くし、歩行時に踵に負荷される衝撃を踵部の内側へ導くことにより、着地時の重心が外側に流れるのを防止する。なお、図３は左足であるが、右足は左足と鏡像対象関係にある。【００３７】  図４は、前記基本概念により、踵着地時の重心を中心部へ誘導するため、踵部の厚さ方向に形成する有底盲孔の深度のパターンの一例を示している。即ち、図４において、黒丸（●）、二重丸（◎）及び白抜き丸（○）の深度は、それぞれ、３、２及び１である。このように、踵部の中心へ行くいしたがって有底盲孔の深度を深くすることにより、踵部の中心部を、その余の部分に比べて歪み易くし、踵が着地時の重心を中心部へ誘導することができる。
尚、黒丸（●）、二重丸（◎）及び白抜き丸（○）のそれぞれの深度を表す数字３、２及び１は、それぞれ特定の値ではなく、相対的な比例値を示す。【００３８】  図５は、前記基本概念により、踵着地時の重心を中心部へ誘導するため、踵部の厚さ方向に形成する有底盲孔の直径のパターンの一例を示している。即ち、図５において、直径を踵部の中心へ行くにしたがって大きくすることにより、踵部の中心部を、その余の部分に比べて歪み易くし、踵が着地時の重心を中心部へ誘導することができる。【００４０】  図６は、前記基本概念により、踵部の厚さ方向に形成する有底盲孔の深度を踵部の内側（ＩＮ）に行くにしたがって深くするパターンの一例を示している。即ち、図６において、
2015211813.tif 000002
２、１及び０である。このように、踵部の内側へ行くにしたがって有底盲孔３の深度を深くすることにより、踵部の中心部を、その余の部分に比べて歪み易くし、踵が着地時の重心を中心部へ誘導することができる。
2015211813.tif 000003
す数字３、２、１及び０は、それぞれ特定の値ではなく、相対的な比例値を示す。【００４１】  図７は、前記基本概念により、踵部の厚さ方向に形成する有底盲孔の直径を踵部の内側（ＩＮ）に行くにしたがって大きくするパターンの一例を示している。即ち、図７に示したように、直径を、踵部の内側（ＩＮ）へ行くにしたがって大きくすることにより、踵部の中心部（ＩＮ）を、その余の部分に比べて歪み易くし、踵が着地時の重心を内側へ誘導することができる。
【実施例１】
【００４２】［インソールの製造例］
本発明に従って、硬度が３０〜５５度（Ｅタイプ硬度計）の範囲にあるポリウレタンまたはエチレン−酢酸ビニル共重合体、或いはポリウレタンとエチレン−酢酸ビニル共重合体の混合材料を使用してインソールを製造した。図８の［１］は、その底面図、［２］は、［１］のＸ−Ｙ面に沿った断面図である。図８において１はインソール、２は踵部、Ｌ１は踵部のインソール１の長手方向の長さ、Ｌ２は踵部のインソール１の幅方向の長さを示している。また、［２］において、Ｌ３は踵部２の厚さ方向の大きさ、即ち厚みである。３は、踵部２の厚さ方向に穿設した有底盲孔である。【００４３】  踵部のインソール１の長手方向の長さＬ１を２０〜１００ｍｍ、踵部のインソール１の幅方向の長さＬ２を２０〜１００ｍｍ、及び踵部２の厚さ方向の厚みＬ３を２〜１０ｍｍの範囲で、それぞれ順列組み合わせで変えて、いわゆる変形性膝関節症であろうと自覚している男女から選択した２００名のモニターに使用させて、先ずは履き心地をテストした結果、Ｌ１は３０〜７０ｍｍの範囲、Ｌ２は同じく３０〜７０ｍｍの範囲、Ｌ３は５〜２０ｍｍの範囲が好ましいことが実証された。
【実施例２】
【００４４】  次に、実施例１で製造したインソール１の踵部２の厚さ方向に複数の有底盲孔３を次のとおりとした。図１０は、その底面図である。有底盲孔３を穿設するパターンは図４で示したパターンである。即ち、踵部２の中心へ行くに従って、有底盲孔３の深度を深くするパターンである。実施例２では、Ｌ１、即ち、有底盲孔３の直径はすべて同じ２〜１０ｍｍの範囲であるが、それらの深度は、黒丸（●）が４〜１０ｍｍ、二重丸（◎）が３〜８ｍｍ、及び白抜き丸（○）が２〜６ｍｍの範囲である。このように、踵部２の中心へ行くにしたがって有底盲孔３の深度を深くすることにより、踵部の中心部を、その余の部分に比べて歪み易くし、踵が着地時の重心を中心部へ誘導することができた。
【実施例３】
【００４５】  次に、実施例１で製造したインソール１の踵部２の厚さ方向に複数の有底盲孔３を次のとおりとした。図１０は、その底面図である。有底盲孔３を穿設するパターンは図５で示したパターンである。即ち、踵部２の中心へ行くに従って、有底盲孔３の深度を深くするパターンである。実施例３では、Ｌ１、即ち、有底盲孔３の深度は全て同じ３〜１０ｍｍの範囲であるが、直径は、大きい丸が５〜１０ｍｍ、中くらいの丸が３〜７ｍｍ、及び小さい丸が１〜３ｍｍの範囲である。このように、踵部の厚さ方向に形成する有底盲孔３の直径を踵部２の中心へ行くにしたがって大きくすることにより、踵部の中心部を、その余の部分に比べて歪み易くし、踵が着地時の重心を中心部へ誘導することができた。
【実施例４】
【００４６】  次に、実施例１で製造したインソール１の踵部２の厚さ方向に複数の有底盲孔３を次のとおりとした。図１１は、その底面図である。有底盲孔３を穿設するパターンは図６で示したパターンである。即ち、踵部２の内側（ＩＮ）へ行くに従って、有底盲孔３の深度を深くするパターンである。実施例４では、Ｌ１、即ち、有底盲孔３の直径は全て同じ２〜１０ｍｍの範囲であるが、深度は、黒丸（●）が４〜１０ｍｍ、二重丸（◎）が３〜８ｍｍ、
2015211813.tif 000004
内側へ行くにしたがって有底盲孔３の深度を深くすることにより、踵部の中心部を、その余の部分に比べて歪み易くし、踵が着地時の重心を中心部へ誘導することができた。なお、図１１において、ＩＮは内側、ＯＳは外側、Ｔは爪先方向、Ｋは踵方向を示している。
【実施例５】
【００４７】  次に、実施例１で製造したインソール１の踵部２の厚さ方向に複数の有底盲孔３を次のとおりとした。図１２は、その底面図である。有底盲孔３を穿設するパターンは図７で示したパターンである。即ち、踵部２の内側（ＩＮ）へ行くに従って、有底盲孔３の直径を大きくするパターンである。実施例５では、有底盲孔３の深度は全て３〜１０ｍｍであるが、有底盲孔３の直径は大きい丸が５〜１０ｍｍ、中くらいの丸が３〜７ｍｍ、小さい丸が１〜３ｍｍの範囲である。このように、踵部の内側（ＩＮ）へ行くにしたがって有底盲孔３の直径を大きくすることにより、踵部の中心部を、その余の部分に比べて歪み易くし、踵が着地時の重心を中心部へ誘導することができた。なお、図１２において、ＩＮは内側、ＯＳは外側、Ｔは爪先方向、Ｋは踵方向を示している。
【符号の説明】
【００４９】１    インソール
２    踵部
３    有底盲孔
４    踵部の中心
ＩＮ  踵部の内側
ＯＳ  踵部の外側
Ａ    踵部の内側
Ｂ    踵部の内側
Ｃ    踵部の内側
Ｄ    踵部の外側
Ｌ１  踵部のインソール１の長手方向の長さ
Ｌ２  踵部のインソール１の幅方向の長さ
Ｌ３  踵部２の厚さ方向の大きさ（厚さ）
Ｔ    爪先方向
Ｋ    踵方向
【図１】
2015211813.tif 000005
【図２】
2015211813.tif 000006
【図３】
2015211813.tif 000007
【図４】
2015211813.tif 000008
【図５】
2015211813.tif 000009
【図６】
2015211813.tif 000010
【図７】
2015211813.tif 000011
【図８】
2015211813.tif 000012
【図９】
2015211813.tif 000013
【図１０】
2015211813.tif 000014
【図１１】
2015211813.tif 000015
【図１２】
2015211813.tif 000016